(57)【要約】【課題】旧ウエブと新ウエブを簡単に接続することができると共に、その接続が正確に行うことができるウエブの接続方法及びその装置を提供する。【解決手段】重ね合わせた旧ウエブＷ１と新ウエブＷ２を前後吸引装置２２，２４によって吸引固定しながら、新ウエブＷ２の不要部分を回収し、旧ウエブＷ１と新ウエブＷ２とを接着テープ４０で固定して接続し旧ウエブＷ１の不要部分を回収するものである。【選択図】      図１
2005015145.tif 000002
【特許請求の範囲】
【請求項１】
前後方向に走行する旧ウエブに、新ウエブを接着テープによって接続するウエブの接続方法において、
前記旧ウエブの走行と前記新ウエブの走行を停止させた状態で、前記旧ウエブと前記新ウエブとを接続予定位置で重ね合わせる第１工程と、
前記重ね合わせた旧ウエブと新ウエブのどちらか一方のウエブの一方の片面を吸引手段で吸引して、少なくとも前記一方のウエブを固定する第２工程と、
前記一方のウエブを前記吸引手段によって吸引固定しながら、前記一方のウエブとは異なる他方のウエブ側から切断手段によって前記新旧両ウエブ共に切断する第３工程と、
前記切断された他方のウエブの不要部分を回収する第４工程と、
前記一方のウエブを前記吸引手段によって吸引固定しながら、前記他方のウエブ側から接着テープをテープ押圧手段によって押圧して、前記新旧両ウエブの他方の片面を前記接着テープで固定して、前記新旧両ウエブを接続する第５工程と、
前記切断された一方のウエブの不要部分を回収する第６工程と、を有することを特徴とするウエブの接続方法。
【請求項２】
前記第６工程の後に、
前記一方のウエブ側から接着テープをテープ押圧手段によって押圧して、前記新旧両ウエブの一方の片面を前記接着テープで固定する第７工程を有することを特徴とする請求項１記載のウエブの接続方法。
【請求項３】
前記第５工程において、
前記他方のウエブ側から接着テープをテープ押圧手段によって押圧する時に、前記切断された他方のウエブの必要部分を固定手段によって前記一方のウエブへ押圧することを特徴とする請求項１記載のウエブの接続方法。
【請求項４】
前記第７工程において、
前記一方のウエブ側から接着テープをテープ押圧手段によって押圧する時に、前記他方のウエブを吸引手段によって固定することを特徴とする請求項１記載のウエブの接続方法。
【請求項５】
前記旧ウエブ及び新ウエブが、水平方向、垂直方向、または、水平方向に対し傾斜した状態で走行することを特徴とする請求項１記載のウエブの接続方法。
【請求項６】
前後方向に走行する旧ウエブに、新ウエブを接着テープによって接続するウエブの接続装置において、
接続予定位置で停止して重ね合わせた旧ウエブと新ウエブのどちらか一方のウエブの一方の片面を吸引して、少なくとも前記一方のウエブを固定する吸引手段と、
前記吸引手段によって吸引固定されている前記一方のウエブとは異なる他方のウエブ側から前記新旧両ウエブ共にカッターで切断する切断手段と、
前記切断された他方のウエブの不要部分を第１回収ロールを回転させて回収する第１回収手段と、
前記一方のウエブを前記吸引手段によって吸引固定しながら、前記他方のウエブ側から接着テープを押圧して、前記新旧両ウエブを接続するテープ押圧手段と、
前記切断された一方のウエブの不要部分を第２回収ロールを回転させて回収する第２回収手段と、を有することを特徴とするウエブの接続装置。
【請求項７】
前記吸引手段は、前記新旧両ウエブを切断する切断手段のカッターを受けるスリットを有することを特徴とする請求項６記載のウエブの接続装置。
【請求項８】
前記吸引手段は、前記両ウエブの走行方向に対して前後方向に分割され、前記分割された吸引手段の間に前記スリットが形成されることを特徴とする請求項６記載のウエブの接続装置。
【請求項９】
前記吸引手段は、前記新旧両ウエブを切断する切断手段のカッターを受ける溝を有することを特徴とする請求項６記載のウエブの接続装置。
【発明の詳細な説明】
【０００１】
【発明の属する技術分野】
本発明は、前後方向に走行する旧ウエブに新ウエブを接着テープによって接続するウエブの接続方法及びその装置に関するものである。
【０００２】
【従来の技術】
従来より、前後方向に延びる旧ウエブに新ウエブを接着テープで接続する接続装置としては、例えば、次のようなものが提案されている（特許文献１、特許文献２）。
【０００３】
旧ウエブと新ウエブを重ね合わせ、切断予定個所の前後をウエブ保持具で挟持し、この新旧両ウエブを切断個所で切断し、旧ウエブの後端縁及び新ウエブの先端縁をウエブ保持具の吸引面で吸引保持しつつ新旧両ウエブの不要部分を両方共除去し、旧ウエブの後端縁及び新ウエブの先端縁の一方面側をウエブ保持具の吸引面で吸引保持しつつ、他方面側に前記接合テープを張り付ける。
【０００４】
このようなウエブの接続装置であると、旧ウエブと新ウエブを自動的に接続することができ、短時間でその作業を完了できる。
【０００５】
【特許文献１】
特開平５−２４６５８９号公報
【０００６】
【特許文献２】
特許第２８８１６４６号公報
【０００７】
【発明が解決しようとする課題】
上記のようなウエブの接続装置においては、新旧両ウエブを切断した後に、ウエブ保持具の吸引面で吸引保持しつつ新旧両ウエブの不要部分を両方共に同時に除去し、その後に接合テープで張り付ける構造となっている。
【０００８】
そのため、この両ウエブの不要部分を両方共除去する時に、旧ウエブの後端縁と新ウエブの先端縁との突き合わせがずれて、旧ウエブと新ウエブの接合がずれてしまうという問題点がある。
【０００９】
また、旧ウエブと新ウエブの表裏両面を吸引保持するウエブ保持具が必要であり、その装置の構造が複雑になるという問題点もある。
【００１０】
そこで、本発明は上記問題点に鑑み、旧ウエブと新ウエブを簡単に接続することができると共に、その接続が正確に行うことができるウエブの接続方法及びその装置を提供するものである。
【００１１】
【課題を解決するための手段】
請求項１の発明は、前後方向に走行する旧ウエブに、新ウエブを接着テープによって接続するウエブの接続方法において、前記旧ウエブの走行と前記新ウエブの走行を停止させた状態で、前記旧ウエブと前記新ウエブとを接続予定位置で重ね合わせる第１工程と、前記重ね合わせた旧ウエブと新ウエブのどちらか一方のウエブの一方の片面を吸引手段で吸引して、少なくとも前記一方のウエブを固定する第２工程と、前記一方のウエブを前記吸引手段によって吸引固定しながら、前記一方のウエブとは異なる他方のウエブ側から切断手段によって前記新旧両ウエブ共に切断する第３工程と、前記切断された他方のウエブの不要部分を回収する第４工程と、前記一方のウエブを前記吸引手段によって吸引固定しながら、前記他方のウエブ側から接着テープをテープ押圧手段によって押圧して、前記新旧両ウエブの他方の片面を前記接着テープで固定して、前記新旧両ウエブを接続する第５工程と、前記切断された一方のウエブの不要部分を回収する第６工程と、を有することを特徴とするウエブの接続方法である。
【００１２】
請求項２の発明は、前記第６工程の後に、前記一方のウエブ側から接着テープをテープ押圧手段によって押圧して、前記新旧両ウエブの一方の片面を前記接着テープで固定する第７工程を有することを特徴とする請求項１記載のウエブの接続方法である。
【００１３】
請求項３の発明は、前記第５工程において、前記他方のウエブ側から接着テープをテープ押圧手段によって押圧する時に、前記切断された他方のウエブの必要部分を固定手段によって前記一方のウエブへ押圧することを特徴とする請求項１記載のウエブの接続方法である。
【００１４】
請求項４の発明は、前記第７工程において、前記一方のウエブ側から接着テープをテープ押圧手段によって押圧する時に、前記他方のウエブを吸引手段によって固定することを特徴とする請求項１記載のウエブの接続方法である。
【００１５】
請求項５の発明は、前記旧ウエブ及び新ウエブが、水平方向、垂直方向、または、水平方向に対し傾斜した状態で走行することを特徴とする請求項１記載のウエブの接続方法である。
【００１６】
請求項６の発明は、前後方向に走行する旧ウエブに、新ウエブを接着テープによって接続するウエブの接続装置において、接続予定位置で停止して重ね合わせた旧ウエブと新ウエブのどちらか一方のウエブの一方の片面を吸引して、少なくとも前記一方のウエブを固定する吸引手段と、前記吸引手段によって吸引固定されている前記一方のウエブとは異なる他方のウエブ側から前記新旧両ウエブ共にカッターで切断する切断手段と、前記切断された他方のウエブの不要部分を第１回収ロールを回転させて回収する第１回収手段と、前記一方のウエブを前記吸引手段によって吸引固定しながら、前記他方のウエブ側から接着テープを押圧して、前記新旧両ウエブを接続するテープ押圧手段と、前記切断された一方のウエブの不要部分を第２回収ロールを回転させて回収する第２回収手段と、を有することを特徴とするウエブの接続装置である。
【００１７】
請求項７の発明は、前記吸引手段は、前記新旧両ウエブを切断する切断手段のカッターを受けるスリットを有することを特徴とする請求項６記載のウエブの接続装置である。
【００１８】
請求項８の発明は、前記吸引手段は、前記両ウエブの走行方向に対して前後方向に分割され、前記分割された吸引手段の間に前記スリットが形成されることを特徴とする請求項６記載のウエブの接続装置である。
【００１９】
請求項９の発明は、前記吸引手段は、前記新旧両ウエブを切断する切断手段のカッターを受ける溝を有することを特徴とする請求項６記載のウエブの接続装置である。
【００２０】
【作  用】
請求項１のウエブの接続方法について説明する。
【００２１】
第１工程では、前後方向に走行する旧ウエブと新ウエブの走行を停止させた状態で、旧ウエブと新ウエブとを接続予定位置で重ね合わせる。
【００２２】
第２工程では、この重ね合わせた旧ウエブと新ウエブのどちらか一方のウエブの一方の片面を吸引手段で吸引して、少なくとも一方のウエブを固定する。
【００２３】
第３工程では、一方のウエブを吸引手段によって吸引固定しながら、一方のウエブとは異なる他方のウエブ側から切断手段によって新旧両ウエブ共に切断する。
【００２４】
第４工程では、吸引手段によって吸引固定されていない切断された他方のウエブの不要部分を回収する。この場合に一方のウエブは吸引手段によって固定されているため、一方のウエブと他方のウエブの位置ずれが起こることがない。
【００２５】
第５工程では、一方のウエブを吸引手段によって吸引固定しながら、他方のウエブ側から接着テープをテープ押圧手段によって押圧する。これによって新旧両ウエブの他方の片面が接着テープで固定され、新旧両ウエブが接続される。
【００２６】
第６工程では、接着テープで固定されていない切断された一方のウエブの不要部分を回収する。
【００２７】
請求項２のウエブの接続方法においては、前記した第６工程の後に、一方のウエブ側から接着テープをテープ押圧手段によって押圧する。これによって、新旧両ウエブの一方の片面も接着テープで固定される。したがって、新旧両ウエブの接続部分の両面共に接着テープで固定される。
【００２８】
請求項３のウエブの接続装置においては、前記で説明した第５工程において、他方のウエブ側から接着テープをテープ押圧手段によって押圧する時に、切断された他方のウエブの必要部分を固定手段によって一方のウエブへ押圧する。これによって、他方のウエブの必要部分が一方のウエブに対し位置ずれを起こすことなく接着テープによって新旧両ウエブを接続することができる。
【００２９】
請求項４のウエブの接続装置においては、前記で説明した第５工程において、一方のウエブ側から接着テープをテープ押圧手段によって押圧する時に、他方のウエブを吸引手段によって固定する。これによって、接着テープで固定する際に一方のウエブと他方のウエブとが位置ずれを起こすことがない。
【００３０】
請求項５のウエブの接続方法においては、旧ウエブ及び新ウエブが、水平方向、垂直方向、または、水平方向に対し傾斜した状態で走行させる。このようにウエブが水平方向、垂直方向、水平方向に対し傾斜した状態で走行していても、新旧両ウエブを正確に接続することができる。
【００３１】
請求項６のウエブの接続装置について説明する。
【００３２】
吸引手段が、接続予定位置で停止して重ね合わせた旧ウエブと新ウエブのどちらか一方のウエブの一方の片面を吸引する。これによって、少なくとも一方のウエブを固定することができる。
【００３３】
接続手段は、吸引手段によって吸引固定されている一方のウエブとは異なる他方のウエブ側から新旧両ウエブ共にカッターで切断する。
【００３４】
第１回収手段は、切断された他方のウエブの不要部分を第１回収ロールを回転させて回収する。
【００３５】
テープ押圧手段は、一方のウエブを吸引手段によって吸引固定しながら、他方のウエブ側から接着テープを押圧して、新旧両ウエブを接続する。
【００３６】
第２回収手段は、切断された一方のウエブの不要部分を第２回収ロールを回転させて回収する。
【００３７】
請求項７のウエブの接続装置について説明する。
【００３８】
吸引手段は、新旧両ウエブを切断する切断手段のカッターを受けるスリットを有している。これによって、一方のウエブを吸引手段によって吸引固定しながら、切断手段によって新旧両ウエブを切断することができる。
【００３９】
請求項８のウエブの接続装置について説明する。
【００４０】
吸引手段は、両ウエブの走行方向に対し前後方向に分割され、この分割された吸引手段の間に請求項７で説明したスリットが形成されている。
【００４１】
請求項９のウエブの接続装置について説明する。
【００４２】
吸引手段は、新旧両ウエブを切断する切断手段のカッターを受ける溝を有している。これによって、吸引手段は一方のウエブを吸引固定しながら、切断手段のカッターを受けるための溝があるため、カッターは新旧両ウエブを切断することができる。
【００４３】
【発明の実施の形態】
（第１の実施形態）
以下、本発明の第１の実施形態のウエブの接続装置１０について図１から図９に基づいて説明する。
【００４４】
なお、「ウエブ」とは、長尺状のシートであり、布帛、紙、プラスチックフィルム、金属箔、単層または多層にラミネートしたシート状のものを言う。
【００４５】
（１）接続装置１０の構造
図１に基づいて、接続装置１０の構造について説明する。
【００４６】
この接続装置１０は、旧ウエブＷ１が残り少なくなり、そのため、この旧ウエブＷ１の後ろに新ウエブＷ２を接続する装置に関するものである。
【００４７】
旧ウエブＷ１は、図１に示すように水平方向の走行路を走行している。なお、図１においては上下関係を明確にするために、「上」と「下」を表記している。また、新ウエブＷ２は、巻回されたロール１２から引き出される。
【００４８】
新旧両ウエブＷ１，Ｗ２共に、上下一対のニップロール１４，１６と上下一対のニップロール１８，２０との間に挟まれて走行する。そして、この一対のニップロール１４，１６と一対のニップロール１８，２０との間で新旧両ウエブＷ１，Ｗ２が接続される。そのため、これら一対のニップロール１４，１６と一対のニップロール１８，２０との間の走行路の範囲を「接続予定位置」とする。
【００４９】
（１−１）前吸引装置２２と後吸引装置２４
この接続予定位置における走行路の下方には、前吸引装置２２と後吸引装置２４とが回転自在に設けられている。この吸引はポンプなどに吸引する。
【００５０】
前吸引装置２２は厚みのある板状であり、図１に示すように、垂直方向から水平方向に回動する。水平方向に回動した状態で前吸引装置２２の上面には吸引面が配されている。
【００５１】
後吸引装置２４も同様に厚みのある板状であって、垂直方向から水平方向に回動自在であって、水平方向に回動した状態でその上面に吸引面が設けられている。
【００５２】
この前吸引装置２２と後吸引装置２４とが水平状態に回動した場合（図１の点線の状態）において、前吸引装置２２と後吸引装置２４との間には、ウエブの幅方向に若干の隙間、すなわちスリット２６が形成される状態となる。
【００５３】
（１−２）切断装置２８
接続予定位置における走行路の上面には、新旧両ウエブＷ１，Ｗ２を幅方向に切断するための切断装置２８が設けられている。
【００５４】
この切断装置２８は回転軸Ｒ１を中心にアーム３０が回動自在であり、その先端にカッター３２が取り付けられている。このアーム３０が不図示のモータまたはエアーシリンダーによって回転して水平状態になると、その先端にあるカッター３２が新旧両ウエブＷ１，Ｗ２を幅方向に切断する。この場合に、カッター３２はスリット２６に侵入して、前吸引装置２２と後吸引装置２４には衝突することがない。
【００５５】
（１−３）上側接着テープ押圧装置３４
接続予定位置の走行路の上方には、上側接着テープ押圧装置３４が設けられている。
【００５６】
この上側接着テープ押圧装置３４は、回転軸Ｒ２を中心にアーム３６が回転し、そのアーム３６の先端にはテープ吸引部３８が設けられている。このテープ吸引部３８の一方の面には接着テープ４０がテープ吸引部３８によって吸引して固定されている。この吸引はポンプなどに吸引する。
【００５７】
この場合に、テープ吸引部３８に吸引されている接着テープ４０の面は、接着面とは反対側の面が吸引されている。
【００５８】
このアーム３６が、回転軸Ｒ２を中心に不図示のモータまたはエアーシリンダーによって垂直方向から水平方向に回転すると走行路上の新旧両ウエブＷ１，Ｗ２に接着テープ４０を押圧して接続する。
【００５９】
（１−４）下側接着テープ押圧装置４２
接続予定位置の走行路の下方には、下側接着テープ押圧装置４２が設けられている。
【００６０】
この下側接着テープ押圧装置４２は、押圧装置本体４３からエアーシリンダー４４によってテープ吸引部４６を上方に移動させる。
【００６１】
テープ吸引部４６に吸引されている接着テープ４８を新旧両ウエブＷ１，Ｗ２の下面に押圧して接続する。
【００６２】
（１−５）制御装置５０
この接続装置１０の制御装置５０は、コンピュータよりなり、下記で説明する接続工程に基づいて、ロール１２、ニップロール１４，１６，１８，２０の回転を制御し、前吸引装置２２、後吸引装置２４の回動状態及び吸引状態を制御し、切断装置２８のアーム３０の回動状態を制御し、上側接着テープ押圧装置３４のアーム３６の回動状態及びテープ吸引部３８の吸引状態を制御し、下側接着テープ押圧装置４２のエアーシリンダー４４の上下動及びテープ吸引部４６の吸引状態を制御する。
【００６３】
（２）接続装置１０の動作状態
次に上記で説明した接続装置１０の動作工程について図２から図９に基づいて説明する。なお、図２から図９においては、各工程の説明をわかりやすくするために、必要な装置のみを記載している。
【００６４】
（第１工程）
第１工程について、図２に基づいて説明する。
【００６５】
第１工程では、図２に示すように、旧ウエブＷ１を下側のニップロール１６，２０の間で走行させる。一方、新ウエブＷ２については、上側のニップロール１４，１８の間で走行させ、前側のニップロール１４に新ウエブＷ２の先端を固定する。この場合にニップロール１４とニップロール１６との間隙を大きくしておき、同様にニップロール１８及びニップロール２０の間隙も大きくしておく。
【００６６】
そして、この場合に旧ウエブＷ１と新ウエブＷ２とは、平行で、かつ、幅方向においてずれがないようにする。
【００６７】
（第２工程）
第２工程について、図３に基づいて説明する。
【００６８】
旧ウエブＷ１及び新ウエブＷ２の走行を停止させる。
【００６９】
その後に、上側のニップロール１４，１８を下方に移動させ、旧ウエブＷ１に新ウエブＷ２を重ね合わせる。この場合に前記したように旧ウエブＷ１と新ウエブＷ２とが完全に重なるように、すなわち、平行に、かつ、幅方向においてもずれがなく、旧ウエブＷ１と新ウエブＷ２との両耳部が正確に一致するように重ね合わせる。
【００７０】
図３の点線で示すように垂直方向に位置している前吸引装置２２と後吸引装置２４を、実線で示す水平方向に回動させると共に、前吸引装置２２と後吸引装置２４の吸引を開始して、下方に位置するウエブ、すなわち、旧ウエブＷ１の下面を吸引して、旧ウエブＷ１を接続予定位置で固定する。
【００７１】
この場合に前吸引装置２２と後吸引装置２４との間にあるスリット２６の位置が、切断装置２８によって切断される位置となる。
【００７２】
（第３工程）
第３工程について、図４に基づいて説明する。
【００７３】
切断装置２８のアーム３０を垂直状態から水平状態に回動させると、アーム３０の先端にあるカッター３２が重ね合わせられている新旧両ウエブＷ１，Ｗ２を同時に幅方向に切断する。この場合にカッター３２は前吸引装置２２と後吸引装置２４との間にあるスリット２６に入り、前吸引装置２２と後吸引装置２４に衝突することがない。
【００７４】
さらに、下面にある旧ウエブＷ１が前後吸引装置２２，２４によって吸引固定されているため、切断位置がずれたりすることがない。
【００７５】
（第４工程）
第４工程について、図５に基づいて説明する。
【００７６】
切断装置２８のアーム３０を水平状態から垂直状態に復帰させる。
【００７７】
そして、前側にあるニップロール１４を上方に移動させ、その後回転させる。ニップロール１４が回転すると、新ウエブＷ２の不要部分がこのニップロール１４に巻き付けられて回収される。すなわち、新ウエブＷ２の切断された前側の部分は不要であるため回収する。
【００７８】
この場合に、新ウエブＷ２の不要部分のみを回収し、かつ、旧ウエブＷ１は前後吸引装置２２，２４によって吸引固定されているため、新旧両ウエブＷ１，Ｗ２の切断個所がずれたりすることがない。
【００７９】
（第５工程）
第５工程について、図６に基づいて説明する。
【００８０】
ニップロール１４において不要な新ウエブＷ２が回収すると、上側接着テープ押圧装置３４のアーム３６を垂直状態から水平方向に回動させる。この場合に予めテープ吸引部３８の一方の面に接着テープ４０を吸引固定しておく。
【００８１】
アーム３６が垂直状態から水平状態に回動するとその回動の押圧力及び接着テープ４０の接着力によって旧ウエブＷ１の必要部分の上面と新ウエブＷ２の必要部分の上面とが接着テープ４０によって接続される。
【００８２】
なお、図６においては接着テープ４０が段差のある部分に接着されているように表示されているが、これは新旧両ウエブＷ１，Ｗ２の状態を分かり易く示すために厚みのある状態として示しているものであり、実際には新旧両ウエブＷ１，Ｗ２共に厚みは非常に薄く、テープ吸引部３８の接着テープ４０の吸引面は平らな面である。
【００８３】
この接着テープ４０によって接着する場合に、旧ウエブＷ１の下面は前後吸引装置２２，２４によって固定されているため、旧ウエブＷ１と新ウエブＷ２とは位置ずれを起こしたりすることがなく、正確に両者を接続することができる。
【００８４】
（第６工程）
第６工程について、図７に基づいて説明する。
【００８５】
上接着テープ押圧装置３４のテープ吸引部３８によって接着テープ４０を旧ウエブＷ１の必要部分と新ウエブＷ２の必要部分とに押圧した状態を維持しておく。この場合にテープ吸引部３８は接着テープ４０を吸引固定している。
【００８６】
上記の状態で、前吸引装置２２と後吸引装置２４の吸引状態を解除し、図７の実線に示すように垂直状態に復帰させる。
【００８７】
その後、旧ウエブＷ１の不要部分を後側のニップロール２０を回転させて回収させる。この場合に、新旧両ウエブＷ１，Ｗ２の必要部分は接着テープ４０によって接着固定されているため、両者が位置ずれを起こしたりすることがない。
【００８８】
（第７工程）
第７工程について、図８に基づいて説明する。
【００８９】
不要な旧ウエブＷ１が完全に回収された状態で、上側接着テープ押圧装置３４におけるテープ吸引部３８の接着テープ４０に対する吸引固定を維持した状態とする。
【００９０】
上記の状態で、下方から下側接着テープ押圧装置４２のテープ吸引部４６をエアーシリンダー４４によって上昇させて、旧ウエブＷ１の必要部分と新ウエブＷ２の必要部分の下面に接着テープ４８を押圧して接着する。この場合に、テープ吸引部４６の吸引面に予め接着テープ４８を吸引固定しておく。
【００９１】
この下側接着テープ押圧装置４２によって接着テープ４８を接着する場合に、新旧両ウエブＷ１，Ｗ２共に上側の接着テープ４０によって接着固定されているため位置ずれを起こすことがない。
【００９２】
（第８工程）
第８工程について、図９に基づいて説明する。
【００９３】
上側接着テープ押圧装置３４におけるテープ吸引部３８の吸引を解除し、アーム３６を水平状態から垂直状態に復帰させる。
【００９４】
下側接着テープ押圧装置４２のテープ吸引部４６の吸引状態を解除させ、エアーシリンダー４４によって下方に移動させる。
【００９５】
これによって新旧両ウエブＷ１，Ｗ２は上下の接着テープ４０，４８によって接続された状態となる。
【００９６】
そして、旧ウエブＷ１の走行を再び開始させることによって、ウエブの接続が完了する。
【００９７】
（３）第１の実施形態の効果
上記構成の接続装置１０であると、新旧両ウエブＷ１，Ｗ２を正確に接続することができる。特に、第４工程で新ウエブＷ２の不要部分を回収して、上側の接着テープ４０で新旧両ウエブＷ１，Ｗ２を接続し、その後に旧ウエブＷ１の不要部分を回収するため、旧ウエブＷ１と新ウエブＷ２の位置ずれを起こすことがない。
【００９８】
この接続装置１０であると、新旧両ウエブＷ１，Ｗ２を固定するのは走行路の下方にある前吸引装置２２と後吸引装置２４だけであるため、従来技術のように上側において吸引を行う必要がなく、機械の構成が簡単になると共に、その動作が速くなり接続時間を短縮することができる。例えば、上記の第１工程から第８工程における接続のための時間は、本出願人が実験したところ１０秒から２０秒で終了する。
【００９９】
（４）変更例１
上記実施形態では下方に旧ウエブＷ１を配し、上方に新ウエブＷ２を配したが、これとは上下逆にして、新ウエブＷ２を下方に旧ウエブＷ１を上方に配して上記と同様に接続を行ってもよい。
【０１００】
（５）変更例２
上記実施形態では、ニップロール１４によって新ウエブＷを回収したが、これに代えて、ニップロール１４とは別体の回収ロールを設けて新ウエブＷを回収してもよい。
【０１０１】
（第２の実施形態）
第２の実施形態について、図１０に基づいて説明する。
【０１０２】
本実施形態と、第１の実施形態の異なる点は、第１の実施形態における図６における工程に追加の固定装置５２がある点が異なる。
【０１０３】
すなわち、新旧両ウエブＷ１，Ｗ２を上側接着テープ押圧装置３４で接着固定する前に、ウエブの幅方向に配されている押圧ローラ５４によって新ウエブＷ２の必要部分が位置ずれを起こさないように固定する。
【０１０４】
すなわち、固定装置５２は回転軸Ｒ３を中心にアーム５６が回動自在に配され、その点先端に押圧ローラ５４を図１０に示すように垂直状態から水平状態に回動させて押圧ローラ５４によって新ウエブＷ２を固定した後に、上側接着テープ押圧装置３４によって新旧両ウエブＷ１，Ｗ２を接着テープ４０で固定する。
【０１０５】
これによって、新旧両ウエブＷ１，Ｗ２の位置ずれが発生することがない。
【０１０６】
（変更例１）
この押圧ローラ５４による押圧は、一つ前の第４工程における新ウエブＷ２の不要部分を回収する工程から始めてもよい。すなわち、不要な新ウエブＷ２を回収する場合に必要な新ウエブＷ２を押圧ローラ５４によって押圧固定することによって、より位置ずれを発生させることがない。
【０１０７】
（変更例２）
押圧ローラ５４に代えて、直方体状、または、板状の押圧部材を用いてもよい。
【０１０８】
（第３の実施形態）
第３の実施形態について、図１１に基づいて説明する。
【０１０９】
本実施形態と、第１の実施形態の異なる点は、上側接着テープ押圧装置３４のテープ吸引部３８の前後部にウエブ吸引部５８、５８を設けている点にある。
【０１１０】
このウエブ吸引部５８は、前記で説明した第７工程において機能させるものであり、ウエブ吸引部５８、５８によって旧ウエブＷ１の必要部分と新ウエブＷ２の必要部分を吸引固定することによって、下側から接着テープ４８を接着固定する場合により完全に位置ずれを起こすことなく固定することができる。
【０１１１】
（第４の実施形態）
第４の実施形態について、図１２に基づいて説明する。
【０１１２】
本実施形態と、第１の実施形態の異なる点は前吸引装置２２及び後吸引装置２４の構造が異なる点にある。
【０１１３】
すなわち、本実施形態では、前吸引装置２２と後吸引装置２４とが一体に構成され一つの吸引装置６０を構成している。そして、この吸引装置６０の切断予定部分において溝６２がウエブの幅方向に沿って設けられている。
【０１１４】
この吸引装置６０はエアーシリンダー６４によって上方に移動して旧ウエブＷ１の下面を吸引固定する。そして、切断装置２８で切断する場合には、新旧両ウエブＷ１，Ｗ２を切断したカッター３２は溝６２に入るため、吸引装置６０と衝突することがない。
【０１１５】
なお、この場合に下側接着テープ押圧装置４２は上下動による動きが困難であるため、上側接着テープ押圧装置３４と同様にアームで回動させてテープ吸引部４６を移動させるのがよい。
【０１１６】
（第５の実施形態）
第５の実施形態について図１３に基づいて説明する。なお、図１３においては上下関係を明確にするために図１３中に「上」と「下」を表記している。
【０１１７】
上記実施形態では、旧ウエブＷ１と新ウエブＷ２の走行路は水平方向であったが、これに代えて、図１３に示すように走行路が垂直方向であっても、上記実施形態と同様に旧ウエブＷ１と新ウエブＷ２とを接続することができる。
【０１１８】
（変更例）
走行路は、第１の実施形態や第５の実施形態における水平方向、垂直方向に限らず、水平方向に対し傾斜した状態であっても同様に接続することができる。
【０１１９】
（その他）
上記実施形態や変更例に限らず、本発明の趣旨を逸脱しない限り、その他の変更を行って本発明を実施することができることは言うまでもない。
【０１２０】
【発明の効果】
以上により本発明のウエブの接続方法及びその装置であると、旧ウエブと新ウエブを位置ずれを起こすことなく正確に接続することができると共に、その接続時間を短縮して短時間で行うことができる。
【図面の簡単な説明】
【図１】本発明の第１の実施形態を示す接続装置の説明図である。
【図２】接続装置の第１の工程における状態を示す説明図である。
【図３】同じく第２の工程を示す説明図である。
【図４】同じく第３の工程を示す説明図である。
【図５】同じく第４の工程を示す説明図である。
【図６】同じく第５の工程を示す説明図である。
【図７】同じく第６の工程を示す説明図である。
【図８】同じく第７の工程を示す説明図である。
【図９】同じく第８の工程を示す説明図である。
【図１０】第２の実施形態の接続装置を示す説明図である。
【図１１】第３の実施形態の接続装置を示す説明図である。
【図１２】第４の実施形態を示す接続装置の説明図である。
【図１３】第５の実施形態を示す接続装置の説明図である。
【符号の説明】
１０  接続装置
１２  ロール
１４  ニップロール
１６  ニップロール
１８  ニップロール
２０  ニップロール
２２  前吸引装置
２４  後吸引装置
２６  スリット
２８  切断装置
３０  アーム
３２  カッター
３４  上側接着テープ押圧装置
３６  アーム
３８  テープ吸引部
４０  接着テープ
４２  下側接着テープ押圧装置
４４  エアーシリンダー
４６  テープ吸引部
４８  接着テープ
５０  制御装置
【図１】
2005015145.tif 000003
【図２】
2005015145.tif 000004
【図３】
2005015145.tif 000005
【図４】
2005015145.tif 000006
【図５】
2005015145.tif 000007
【図６】
2005015145.tif 000008
【図７】
2005015145.tif 000009
【図８】
2005015145.tif 000010
【図９】
2005015145.tif 000011
【図１０】
2005015145.tif 000012
【図１１】
2005015145.tif 000013
【図１２】
2005015145.tif 000014
【図１３】
2005015145.tif 000015